(57)【特許請求の範囲】
【請求項１】
座部又は脚部から立ち上がった支持部に対して肘掛け部が高さ調節可能且つ横平行移動調節可能な椅子の肘掛け装置であって、支持部に肘掛け部を所定高さに係合保持し且つ操作部材の変位によって係合を係脱する高さ調節機構を備えるとともに、前記支持部の上端に前後方向に向けて固定した固定部材に、該固定部材より充分に横幅の広い可動部材を上方から重ねて横移動可能に連結するとともに、可動部材の後方弾性付勢力によって固定部材の前後端部の前向き係合突起と可動部材の前後端部に横方向に直線状に配した複数の後向きの係合凹部とで互いに係合可能としてなる横平行移動調節機構を備え、前記高さ調節機構の操作部材の上端部を前記横平行移動調節機構の可動部材の適所に形成した横長溝内に係合させ、肘掛け部を前方向に弾性付勢力に抗して移動させることで高さ調節と横方向位置調節とを行えるとともに、後方向に復帰させることで設定高さと設定横方向位置を維持してなることを特徴とする椅子の肘掛け装置。
【発明の詳細な説明】
【０００１】
【発明の属する技術分野】
本発明は、椅子の肘掛け装置に係わり、更に詳しくは肘掛け部が高さ調節可能且つ横平行移動調節可能な椅子の肘掛け装置に関する。
【０００２】
【従来の技術】
従来、椅子の肘掛け部が座部又は脚部から立ち上がった支持部に対して高さ調節可能なものは既に提供されている。そして、肘掛け部の高さ調節機構としては、支持部を外杆と内杆とで伸縮自在に構成するとともに、固定側の杆体に上下方向に一定間隔毎に係合孔を形成し、可動側の杆体から出没する係合爪を前記係合孔に係脱することによって多段階で高さ調節するもの、あるいは支持部内に配したガスシリンダーにて肘掛け部を無段階で高さ調節するものがあり、係合爪を出没操作する操作部材あるいはガスシリンダーを制御する操作部材を肘掛け部の内部又は近傍に配したレバーに連動させた構造が存在する。
【０００３】
一方、支持部に対して肘掛け部が横平行移動調節可能なものも既に提供されている。そして、肘掛け部の横平行移動調節機構としては、支持部の上端に固定した固定部材に可動部材を重ね、互いの重合面側に設けた横方向に延びたガイドレールに沿って該可動部材を横移動可能となし、適宜な係合手段にて所定位置に可動部材を保持し、左右の肘掛け部の間隔を調節できるようになしたものであり、それを操作するための部分又はレバーを肘掛け部に設けた構造が存在する。
【０００４】
また、肘掛け部が高さ調節可能であるとともに、横平行移動調節可能であるものも存在する。この場合、高さ調節機構と横平行移動調節機構とは全く独立した機構となっており、それぞれを操作するためのレバーが肘掛け部又はその近傍に設けられている。従って、肘掛け部の高さと横方向位置を共に調節する場合には、それぞれのレバーを操作しなければならず、その操作が非常に手間であるばかりでなく、レバーが露出しているので外観性を損なうといった問題も有する。また、肘掛け部の高さ及び横方向位置を調節する場合には、肘から先の腕を肘掛け部から離して行わなければならないので、調節した後に肘掛け部に腕を乗せて調節具合を確かめ、具合が悪ければ再度調節する必要があった。あるいは、肘掛け部に乗せた腕とは反対側の手で調節を行っていたので、操作に無理があった。
【０００５】
【発明が解決しようとする課題】
本発明が前述の状況に鑑み、解決しようとするところは、肘掛け部が高さ調節可能且つ横平行移動調節可能な椅子の肘掛け装置において、高さ及び横方向位置の調節用のレバーを一切設けず、しかも肘から先の腕を肘掛け部に乗せたまま、一連の簡単な操作で肘掛け部の高さと横方向位置を同時に調節することができるようになした椅子の肘掛け装置を提供する点にある。
【０００６】
【課題を解決するための手段】
本発明は、前述の課題解決のために、座部又は脚部から立ち上がった支持部に対して肘掛け部が高さ調節可能且つ横平行移動調節可能な椅子の肘掛け装置であって、支持部に肘掛け部を所定高さに係合保持し且つ操作部材の変位によって係合を係脱する高さ調節機構を備えるとともに、前記支持部の上端に前後方向に向けて固定した固定部材に、該固定部材より充分に横幅の広い可動部材を上方から重ねて横移動可能に連結するとともに、可動部材の後方弾性付勢力によって固定部材の前後端部の前向き係合突起と可動部材の前後端部に横方向に直線状に配した複数の後向きの係合凹部とで互いに係合可能としてなる横平行移動調節機構を備え、前記高さ調節機構の操作部材の上端部を前記横平行移動調節機構の可動部材の適所に形成した横長溝内に係合させ、肘掛け部を前方向に弾性付勢力に抗して移動させることで高さ調節と横方向位置調節とを行えるとともに、後方向に復帰させることで設定高さと設定横方向位置を維持してなる椅子の肘掛け装置を構成した。
【０００７】
【発明の実施の形態】
次に本発明の実施形態を添付図面に基づき更に詳細に説明する。図１は本発明に係る椅子を示し、図２〜図８は本発明の実施形態の要部を示し、図中１は椅子の脚部、２は座部、３は背凭れ部、４は肘掛け装置、５は支持部、６は肘掛け部をそれぞれ示している。
【０００８】
本発明の実施形態に係る肘掛け装置４は、座部２又は脚部１から立ち上がった支持部５に対して肘掛け部６を高さ調節可能且つ横平行移動調節可能若しくは横振り調節可能に設けたものである。前記支持部５は、座部２に固定した支持アーム７の上部に、中空状の昇降体８を上下スライド可能に外嵌した構造を有する。そして、前記支持アーム７と昇降体８との間には、支持アーム７に対して昇降体８の高さを調節し且つその高さを維持するための高さ調節機構が設けられている。また、前記昇降体８の上端には、横平行移動調節機構を構成する固定部材９が固着されており、同様に横平行移動調節機構を構成する肘掛け部６の補強を兼ねた可動部材１０が前記固定部材９に対して角度調節可能に取付けている。
【０００９】
先ず、本発明の肘掛け装置４の高さ調節機構を図２〜図７に基づいて説明する。前記支持部５を構成する支持アーム７の上端部には、断面長方形状の筒状の支持管１１を長辺が椅子の前後方向に配向するように固定し、該支持管１１の上端には合成樹脂製のキャップ１２を外嵌している。そして、昇降体８を構成する厚肉長尺板状の昇降杆１３の上端に固定部材９を固着し、該昇降杆１３を前記キャップ１２の中央部に開設した摺動孔１４に上下スライド可能に嵌挿するとともに、該昇降杆１３の下端に嵌着した合成樹脂製のスライダー１５を前記支持管１１内に上下スライド可能に嵌挿している。また、前記支持管１１の内部であって、前記キャップ１２とスライダー１５間には、前記昇降杆１３を前後に挟んだ位置に引張りコイルばね１６，１６を介装し、常時昇降杆１３が上昇するように弾性付勢している。具体的には、キャップ１２に設けた係止部１２Ａ，１２Ａと、スライダー１５に設けた係止部１５Ａ，１５Ａとにそれぞれ引張りコイルばね１６の両端のフック部１６Ａ，１６Ａを係止している。
【００１０】
そして、前記支持管１１に対して昇降杆１３を所定高さ位置に係合保持し且つ操作部材１７の変位によって係合を係脱して高さ調節可能とするために、前記支持管１１の長辺側一側面１１Ａの中央部であって、略全長にわたって内向きに突出形成した凸台１１Ｃに沿って上下方向に縦孔１８を形成するとともに、該縦孔１８の前縁に一定間隔毎に係合凹部１９，…を形成し、該係合凹部１９とは反対側の前記昇降杆１３の側面の上下中央部に操作部材１７を構成する操作杆２０の中央部を支軸２１にて枢着するとともに、該操作杆２０の下端に形成した下向きＵ字溝２２内に、前記縦孔１８を貫通し且つ昇降杆１３の下部に形成した横長孔２３を貫通した係合ピン２４の端部を位置させている。この係合ピン２４は、軸部２４Ａの直径が前記縦孔１８の横幅よりも若干小さく、一端に該縦孔１８を通過しない頭部２４Ｂを有するとともに、他端にＵ字溝２２の外周に当止して抜止めするためのＥリング２５を嵌着する嵌合溝２４Ｃを形成したものである。ここで、前記支持管１１の他側面１１Ｂの上部には、前記係合ピン２４にＥリング２５を嵌合するための作業用開口２６を形成している。また、前記キャップ１２には、前記操作杆２０を挿通し且つ該操作杆２０の前後変位が可能なように摺動孔１４に連続して挿通孔２７を形成している。
【００１１】
ここで、前記支持管１１は、本実施形態では断面長方形状の筒状のものを示したが、他側面１１Ｂの作業用開口２６が全長に形成された断面略Ｃ字形の筒状部材であっても良い。また、前記縦孔１８と係合凹部１９，…とを、断面長方形状の筒状の支持管１１の両側面１１Ａ，１１Ｂの中央部に沿って形成し、前記昇降杆１３を断面略コ字形に形成し、その両対向板間のスリット状の溝内に前記同様の操作杆２０を回動可能に内装し、昇降杆１３の両対向板に前記同様に横長孔２３を形成し、前記両縦孔１８，１８及び横長孔２３，２３並びに操作杆２０のＵ字溝２２を貫通させて係合ピン２４を配設しても良い。尚、前記支持管１１は、前記支持アーム７の上端部の角筒部に内嵌し且つ固着されている。
【００１２】
この高さ調節機構においては、前記操作部材１７としての操作杆２０の上端を前後に変位させることによって、支軸２１を中心として下端が前後逆に変位し、Ｕ字溝２２に係合した係合ピン２４が横長孔２３内を移動し、該係合ピン２４が前記縦孔１８に位置する高さ調節可能な状態（図３参照）と、係合凹部１９に係合した高さ維持状態（図２参照）とを実現するのである。ここで、前記係合ピン２４は、前記係合凹部１９に係合する方向にキックばね等のばね体によって直接的又は間接的に弾性付勢することも好ましい。
【００１３】
次に、肘掛け部６の水平移動調節機構を図２〜図５、図８〜図１０に基づいて説明する。この肘掛け部６の構造は、前記昇降杆１３の上端に前後方向に向けて固定した固定部材９に、固定部材９より充分に横幅の広い可動部材１０を上方から重ねて横移動可能とするとともに、固定部材９と可動部材１０の前後部同士を係脱可能となしたものである。具体的には、前記固定部材９は、後部に上方へ段状に突出した突出部２８を形成し、該突出部２８の直線状の前縁に係合突起２９，…を複数並設するとともに、直線状の前端縁に同様の係合突起３０，…を複数並設し、前記操作杆２０の上端部を貫通させる前後方向に延びた開口３１を形成している。一方、前記可動部材１０は、下面後部に段状に凹んだ凹陥部３２を形成するとともに、該凹陥部３２の直線状の前縁に前記係合突起２９を係合する係合凹部３３，…を所定間隔毎に複数形成し、下面前部に下方へ段状に突出した突出部３４を形成し、該突出部３４の直線状の後縁に前記係合突起３０に係合する係合凹部３５，…を所定間隔毎に複数形成し、更に前記操作杆２０の上端部を受け入れる横長溝３６を形成している。尚、前記突出部３４を更に下方へ延設し、その下部を後方へ延設して前記固定部材９の前部を受け入れるようにするとともに、前記凹陥部３２の後端を下方へ延設し、その下部を前方へ延設して固定部材９の後部を受け入れるようにすれば、可動部材１０の前部を持ち上げる際に、固定部材９が一体となって持ち上がる。しかし、固定部材９と可動部材１０の上下方向の連結は適宜な構造を採用し得る。
【００１４】
更に、前記固定部材９の上面と、前記可動部材１０の下面との重合部分にそれぞれ凹部３７，３８を形成し、両凹部３７，３８で形成される空洞部内に引張りコイルばね３９を前後方向に配し、引張りコイルばね３９の後端を固定部材９の凹部３７の後端に設けた係止部４０に係着するとともに、引張りコイルばね３９の前端を可動部材１０の凹部３８の前端に設けた係止部４１に係着し、固定部材９に対して可動部材１０を後方へ弾性付勢している。尚、前記凹部３７は、凹部３８よりも前方まで延びており、可動部材１０の前方移動を可能となし、また各凹部３７，３８は横幅を十分に広く設定して、固定部材９に対する可動部材１０の横水平移動を可能となしている。
【００１５】
また、前記可動部材１０は、肘掛け部６の外形を形成する合成樹脂製の化粧カバー４２で覆われ、また前記支持管１１及び昇降杆１３は、上端が前記固定部材９に固定された二つ割りの合成樹脂製化粧カバー４３で覆われ、該化粧カバー４３は下部が前記支持アーム７の上部にスライド可能に外嵌している。
【００１６】
ここで、通常の状態では、前記引張りコイルばね３９の弾性付勢力によって可動部材１０は最も後方位置にあり、前記固定部材９の後部と前部の係合突起２９，３０が可動部材１０の前部と後部の係合凹部３３，３５の何れかに係合している（図２参照）。そして、前記引張りコイルばね３９を引張りながら可動部材１０を固定部材９に対して前方へスライド移動させると、前記係合突起２９，３０から係合凹部３３，３５が外れて、固定部材９に対して可動部材１０を横平行移動できるようになり、可動部材１０の横方向位置を所定位置に設定した後、引張りコイルばね３９の弾性付勢力によって可動部材１０を後方へスライド復帰させて、係合突起２９，３０に係合凹部３３，３５をそれぞれ係合してその状態を維持する。また、肘掛け部６（化粧カバー４２）、即ち可動部材１０を前方へスライド移動させると、前記横長溝３６内に位置する操作杆２０の上端部は、前方へ押されて前記支軸２１を中心として該操作杆２０の下端部は後方へ移動し、前記係合ピン２４が係合凹部１９から外れて縦孔１８に位置する（図３参照）。この状態で、肘掛け部６、即ち可動部材１０の前部を持ち上げたり、押し下げたりすることによって、前記支持アーム７に対して昇降体８を上下高さ調節することができ、肘掛け部６を所定の高さに設定した後に、前記引張りコイルばね３９の弾性付勢力によって肘掛け部６、即ち可動部材１０を後方へ移動させると、何れかの係合凹部３３，３５に係合突起２９，３０が係合して設定横方向位置が維持されると同時に、何れかの係合凹部１９に係合ピン２４が係合して設定高さが維持される。
【００１７】
尚、肘掛け部６を後方へ移動させて高さ調節機構の係合を解除する構造のものは、背凭れ部３に凭れ掛かった状態から起き上がる際に、また椅子から立ち上がる際にも、肘掛け部６を後方へ力を入れて引っ張る動作を伴うので、不意に係合が解除される恐れがあり、そのため肘掛け部６は前方へ移動させて高さ調節機構及び横平行移動調節機構の係合を解除する構造が好ましいのである。
【００１８】
【発明の効果】
以上にしてなる本発明の椅子の肘掛け装置は、肘から先の腕を肘掛け部に乗せたまま、両側の肘掛け部をそれぞれの手で持って前方へスライド移動させるといった一連の簡単な操作で肘掛け部の高さと水平方向の角度を調節することができる。例えば、机天板に載置したワープロやパソコンのキーボードを操作するのに適した肘掛け部の高さに設定できるとともに、キーボードやマウス操作の際に肘の位置に応じて又は着座者の肩幅の広さに応じて肘掛け部の横方向位置又は左右の肘掛け部の間隔を調節することができ、肘から先の腕の安楽な支持状態を実現できる。また、高さ及び横方向位置の調節用のレバーを一切設けず、肘掛け部自体を従来の操作レバーのように利用することができるので、外観性にも優れたものとなる。更に、高さ調節機構が簡単且つ信頼性が高く、耐久性の高い構造であるので、コスト上昇を抑制しつつ、肘掛け部の姿勢を最適に調節できる肘掛け装置を提供できるのである。
【図面の簡単な説明】
【図１】本発明の肘掛け装置を適用した椅子の側面図である。
【図２】本発明の実施形態に係る肘掛け装置の要部の縦断面図である。
【図３】同じく肘掛け部が前方へ移動した高さ調節可能な状態を示す要部の縦断面図である。
【図４】同じく分解斜視図である。
【図５】同じく組立状態の要部の斜視図である。
【図６】図２のＸ１−Ｘ１線断面図である。
【図７】図２のＸ２−Ｘ２線断面図である。
【図８】肘掛け部の省略平面図である。
【図９】同じく省略縦断面図である。
【図１０】同じく省略分解斜視図である。
【符号の説明】
１  脚部                  ２  座部
３  背凭れ部              ４  肘掛け装置
５  支持部                ６  肘掛け部
７  支持アーム            ８  昇降体
９  固定部材              １０  傾動部材
１１  支持管（支持アーム）１２  キャップ
１３  昇降杆（昇降体）    １４  摺動孔
１５  スライダー          １６  引張りコイルばね
１７  操作部材            １８  縦孔
１９  係合凹部            ２０  操作杆（操作部材）
２１  支軸                ２２  Ｕ字溝
２３  横長孔              ２４  係合ピン
２５  Ｅリング            ２６  作業用開口
２７  挿通孔              ２８  突出部
２９  係合突起            ３０  係合突起
３１  開口                ３２  凹陥部
３３  係合凹部            ３４  突出部
３５  係合凹部            ３６  横長溝
３７  凹部                ３８  凹部
３９  引張りコイルばね    ４０  係止部
４１  係止部              ４２  化粧カバー
４３  化粧カバー
【図１】
0003637733.tif 000002
【図２】
0003637733.tif 000003
【図３】
0003637733.tif 000004
【図４】
0003637733.tif 000005
【図５】
0003637733.tif 000006
【図６】
0003637733.tif 000007
【図７】
0003637733.tif 000008
【図８】
0003637733.tif 000009
【図９】
0003637733.tif 000010
【図１０】
0003637733.tif 000011